(57)【要約】【課題】利用者が結婚式等のお披露目情報を幅広い関係者にお披露目することができる技術を提供する。【解決手段】パーティー登録部４４２は、ホストとなる利用者によって入力されるお披露目情報を、通信処理部４０を介して取得して、パーティー情報テーブル４６３に登録する。ゲスト招待部４４３は、ＳＮＳ連携部４２を介してホストが参加するソーシャルネットワーキングサービスのＳＮＳ情報からホストの関係者情報を取得して、ホストの関係者をゲストとしてパーティーに招待する。パーティー処理部４４６は、ホストのお披露目情報を掲載したパーティーページを生成し、ゲストに閲覧可能にパーティーページを表示させる。【選択図】図２
2013003771.tif 000002
【特許請求の範囲】
【請求項１】
ホストのお披露目情報を掲載したパーティーページを生成し、前記ホストによって招待されるゲストの利用者端末で前記パーティーページを閲覧可能に表示させるＷｅｂサーバであって、
前記ホストとなる利用者によって入力される前記お披露目情報をパーティー記憶部に記憶し、前記お披露目情報を掲載するパーティーページを割り当てるパーティー登録手段と、
ソーシャルネットワーキングサービスに参加している利用者のＳＮＳ情報をＳＮＳサーバから取得するＳＮＳ連携手段と、
取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段と
を備えたことを特徴とするＷｅｂサーバ。
【請求項２】
前記利用者によって入力される条件に該当するパーティーを前記パーティー記憶部から検索するパーティー検索手段と、
前記パーティーのホスト宛に前記利用者を前記パーティーのゲストとするよう招待申請する招待申請手段とを備え、
前記ゲスト招待手段は、招待申請されたホストによって前記利用者がゲストとして承認されたときに、前記利用者を前記ゲストとして前記パーティーページの閲覧可能者に設定し、前記ゲスト宛に前記パーティーページで行われるパーティーの招待状を送信する
ことを特徴とする請求項１に記載のＷｅｂサーバ。
【請求項３】
前記ホストによって選択された商品群で構成されるＷｉｓｈＬｉｓｔを前記パーティーページに関連付け、前記商品群から前記ゲストによって選択された商品を前記ゲストに購入させて前記ホストにプレゼントするＷｉｓｈＬｉｓｔ処理手段と、
複数のゲスト間で前記商品の購入代金を割り前勘定で決済させる割り勘手段と
を備えたことを特徴とする請求項１又は２に記載のＷｅｂサーバ。
【請求項４】
前記割り勘手段は、前記複数のゲストが共同で前記商品を購入する場合に、前記ゲストの前記ホストに対する関係によって前記購入代金の支払い負担率を変えることを特徴とする請求項３に記載のＷｅｂサーバ。
【請求項５】
前記ゲストのＳＮＳ情報を取得して、類似するＳＮＳ情報を有するゲスト同士を前記パーティーページ内で近くに配置する席次決定手段と
を備えたことを特徴とする請求項１から４までのいずれか一項に記載のＷｅｂサーバ。
【請求項６】
ゲスト招待手段は、新郎側のゲスト人数と新婦側のゲスト人数とを調整させるゲスト調整手段を備えることを特徴とする請求項１から５までのいずれか一項に記載のＷｅｂサーバ。
【請求項７】
ゲストから送信されるお祝いメッセージをパーティーページに動的に表示するお祝いメッセージ表示手段と
を備えたことを特徴とする請求項１から６までのいずれか一項に記載のＷｅｂサーバ。
【請求項８】
ホストのお披露目情報を掲載したパーティーページを生成し、ホストによって招待されるゲストの利用者端末で前記パーティーページを閲覧可能に表示させるＷｅｂサーバと利用者端末とソーシャルネットワーキングサービスを提供するＳＮＳサーバとで構成されるオヒロメシステムであって、
前記Ｗｅｂサーバは、
前記ホストとなる利用者によって入力される前記お披露目情報をパーティー記憶部に記憶し、前記お披露目情報を掲載するパーティーページを割り当てるパーティー登録手段と、
ソーシャルネットワーキングサービスに参加している利用者のＳＮＳ情報をＳＮＳサーバから取得するＳＮＳ連携手段と、
取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段と
を備えたことを特徴とするオヒロメシステム。
【請求項９】
ホストのお披露目情報を掲載したパーティーページを生成し、ホストによって招待されるゲストの利用者端末で前記パーティーページを閲覧可能に表示させるＷｅｂサーバを、
前記ホストとなる利用者によって入力される前記お披露目情報をパーティー記憶部に記憶し、前記お披露目情報を掲載するパーティーページを割り当てるパーティー登録手段と、
ソーシャルネットワーキングサービスに参加している利用者のＳＮＳ情報をＳＮＳサーバから取得するＳＮＳ連携手段と、
取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段と
して機能させるためのプログラム。
【請求項１０】
ホストのお披露目情報を掲載したパーティーページを生成し、ホストによって招待されるゲストの利用者端末で前記パーティーページを閲覧可能に表示させるＷｅｂサーバを、
前記ホストとなる利用者によって入力される前記お披露目情報をパーティー記憶部に記憶し、前記お披露目情報を掲載するパーティーページを割り当てるパーティー登録手段と、
ソーシャルネットワーキングサービスに参加している利用者のＳＮＳ情報をＳＮＳサーバから取得するＳＮＳ連携手段と、
取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段と
して機能させるためのプログラムを記録したコンピュータ読み取り可能な記録媒体。
【発明の詳細な説明】
【技術分野】
【０００１】
本発明は、利用者のお披露目情報をお披露目するＷｅｂサーバ、オヒロメシステム、プログラム、及び記録媒体に関する。
【背景技術】
【０００２】
近年、結婚式や披露宴を行う時間的、金銭的余裕が無かったり、遠方に住んでいる知人が多かったりするために、結婚式や披露宴を行わない夫婦が増えつつある。このような夫婦のため、新郎新婦の結婚式等の様子をインターネット上で公開するサービスが知られている。
【０００３】
例えば、新郎新婦のプロフィールやなれそめ、結婚式の録画映像、お祝いの言葉受け付け等のコンテンツで構成されるバーチャル結婚式ホームページを作成し、新郎新婦から提出される知人のメールアドレスにバーチャル結婚式ホームページを告知するメールを送信する結婚式サービスシステムが知られている（例えば、特許文献１を参照）。特許文献１に記載の結婚式サービスシステムによれば、新郎新婦の知人が、バーチャル結婚式ホームページを閲覧することで、実際に結婚式場に赴かなくても新郎新婦の結婚を知ることができる。
【先行技術文献】
【特許文献】
【０００４】
【特許文献１】特開２００１−３３８２０８号公報
【発明の概要】
【発明が解決しようとする課題】
【０００５】
しかしながら、特許文献１に記載の結婚式サービスシステムでは、新郎新婦がメールアドレスを知っている知人にしかバーチャル結婚式ホームページを知らせることができず、新郎新婦の幅広い関係者により結婚を祝うことができなかった。
【０００６】
本発明は上記課題に鑑みてなされたものであり、ネットワーク上で利用者が結婚式等のお披露目情報をお披露目するパーティーを開催し、利用者の関係者を容易にパーティーに招待して、パーティーの参加者でパーティーを楽しむことができる技術を提供することを目的とする。
【課題を解決するための手段】
【０００７】
本発明のＷｅｂサーバは、ホストのお披露目情報を掲載したパーティーページを生成し、前記ホストによって招待されるゲストの利用者端末で前記パーティーページを閲覧可能に表示させるＷｅｂサーバであって、前記ホストとなる利用者によって入力される前記お披露目情報をパーティー記憶部に記憶し、前記お披露目情報を掲載するパーティーページを割り当てるパーティー登録手段と、ソーシャルネットワーキングサービスに参加している利用者のＳＮＳ情報をＳＮＳサーバから取得するＳＮＳ連携手段と、取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段とを備えたことを特徴とする。
また、前記利用者によって入力される条件に該当するパーティーを前記パーティー記憶部から検索するパーティー検索手段と、前記パーティーのホスト宛に前記利用者を前記パーティーのゲストとするよう招待申請する招待申請手段とを備え、前記ゲスト招待手段は、招待申請されたホストによって前記利用者がゲストとして承認されたときに、前記利用者を前記ゲストとして前記パーティーページの閲覧可能者に設定し、前記ゲスト宛に前記パーティーページで行われるパーティーの招待状を送信してもよい。
また、前記ホストによって選択された商品群で構成されるＷｉｓｈＬｉｓｔを前記パーティーページに関連付け、前記商品群から前記ゲストによって選択された商品を前記ゲストに購入させて前記ホストにプレゼントするＷｉｓｈＬｉｓｔ処理手段と、複数のゲスト間で前記商品の購入代金を割り前勘定で決済させる割り勘手段とを備えてもよい。
また、前記割り勘手段は、前記複数のゲストが共同で前記商品を購入する場合に、前記ゲストの前記ホストに対する関係によって前記購入代金の支払い負担率を変えてもよい。
また、前記ゲストのＳＮＳ情報を取得して、類似するＳＮＳ情報を有するゲスト同士を前記パーティーページ内で近くに配置する席次決定手段とを備えてもよい。
また、ゲスト招待手段は、新郎側のゲスト人数と新婦側のゲスト人数とを調整させるゲスト調整手段を備えてもよい。
また、ゲストから送信されるお祝いメッセージをパーティーページに動的に表示するお祝いメッセージ表示手段とを備えてもよい。
本発明のオヒロメシステムは、ホストのお披露目情報を掲載したパーティーページを生成し、ホストによって招待されるゲストの利用者端末で前記パーティーページを閲覧可能に表示させるＷｅｂサーバと利用者端末とソーシャルネットワーキングサービスを提供するＳＮＳサーバとで構成されるオヒロメシステムであって、前記Ｗｅｂサーバは、前記ホストとなる利用者によって入力される前記お披露目情報をパーティー記憶部に記憶し、前記お披露目情報を掲載するパーティーページを割り当てるパーティー登録手段と、ソーシャルネットワーキングサービスに参加している利用者のＳＮＳ情報をＳＮＳサーバから取得するＳＮＳ連携手段と、取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段とを備えたことを特徴とする。
本発明のプログラムは、ホストのお披露目情報を掲載したパーティーページを生成し、ホストによって招待されるゲストの利用者端末で前記パーティーページを閲覧可能に表示させるＷｅｂサーバを、前記ホストとなる利用者によって入力される前記お披露目情報をパーティー記憶部に記憶し、前記お披露目情報を掲載するパーティーページを割り当てるパーティー登録手段と、ソーシャルネットワーキングサービスに参加している利用者のＳＮＳ情報をＳＮＳサーバから取得するＳＮＳ連携手段と、取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段として機能させるためのプログラム。
本発明の記録媒体は、ホストのお披露目情報を掲載したパーティーページを生成し、ホストによって招待されるゲストの利用者端末で前記パーティーページを閲覧可能に表示させるＷｅｂサーバを、前記ホストとなる利用者によって入力される前記お披露目情報をパーティー記憶部に記憶し、前記お披露目情報を掲載するパーティーページを割り当てるパーティー登録手段と、ソーシャルネットワーキングサービスに参加している利用者のＳＮＳ情報をＳＮＳサーバから取得するＳＮＳ連携手段と、取得された前記ＳＮＳ情報から前記ホストによって選択された利用者を前記ゲストとして前記パーティーページの閲覧可能者に設定し、前記ゲスト宛に前記パーティーページで行われるパーティーの招待状を送信するゲスト招待手段として機能させるためのプログラムを記録したコンピュータ読み取り可能な記録媒体。
【発明の効果】
【０００８】
本発明によれば、利用者が結婚式等のお披露目情報を幅広い関係者にお披露目することができる。
【図面の簡単な説明】
【０００９】
【図１】本発明に係る実施形態のオヒロメシステムの全体を示すシステム構成図である。
【図２】図１に示すオヒロメサーバの構成を示す機能ブロック図である。
【図３】図２に示すオヒロメサーバによって提供されるオヒロメサイトにおけるログイン画面例である。
【図４】図２に示すオヒロメサーバによって提供されるオヒロメサイトにおける利用者のマイページ画面例である。
【図５】図２に示すオヒロメサーバによって提供されるオヒロメサイトにおけるプライベートメール一覧画面例である。
【図６】図５に示すプライベートメール一覧画面例のプライベートメール詳細画面例である。
【図７】図２に示すオヒロメサーバによって提供されるオヒロメサイトにおけるパーティー登録画面例である。
【図８】図７に示すパーティー登録画面例のパートナー選択画面例である。
【図９】図２に示すオヒロメサーバによって提供されるオヒロメサイトにおけるエピソード登録画面例である。
【図１０】図２に示すオヒロメサーバによって提供されるオヒロメサイトにおけるハッシュタグ生成画面例である。
【図１１】図２に示すオヒロメサーバによって提供されるオヒロメサイトにおけるパーティー管理画面例である。
【図１２】図２に示すオヒロメサーバによって提供されるオヒロメサイトにおけるＷｉｓｈＬｉｓｔ登録一覧画面例である。
【図１３】図１２に示すＷｉｓｈＬｉｓｔ登録一覧画面例のお礼コメント入力画面例である。
【図１４】図１２に示すＷｉｓｈＬｉｓｔ登録一覧画面例のＷｉｓｈＬｉｓｔ検索画面例である。
【図１５】図２に示すオヒロメサーバによって提供されるオヒロメサイトにおけるＷｉｓｈＬｉｓｔ登録画面例である。
【図１６】図２に示すオヒロメサーバによって提供されるオヒロメサイトにおけるゲスト招待画面例である。
【図１７】図２に示すオヒロメサーバによって提供されるオヒロメサイトにおけるフレンズゲスト招待画面例である。
【図１８】図２に示すオヒロメサーバによって提供されるオヒロメサイトにおけるゲスト一覧画面例である。
【図１９】図２に示すオヒロメサーバによって提供されるオヒロメサイトにおけるパーティーのトップ画面例である。
【図２０】図２に示すオヒロメサーバによって提供されるオヒロメサイトにおけるパーティー参加入力画面例である。
【図２１】図２に示すオヒロメサーバによって提供されるオヒロメサイトにおけるパーティー参加入力画面例である。
【図２２】図２に示すオヒロメサーバによって提供されるオヒロメサイトにおける２人のエピソード画面例である。
【図２３】図２に示すオヒロメサーバによって提供されるオヒロメサイトにおけるバーチャル披露宴画面例である。
【図２４】図２に示すオヒロメサーバによって提供されるオヒロメサイトにおけるお祝いメッセージ一覧画面例である。
【図２５】図２４に示すお祝いメッセージ一覧画面のお祝いメッセージ詳細画面例である。
【図２６】図２に示すオヒロメサーバによって提供されるオヒロメサイトにおける参加パーティー一覧画面例である。
【図２７】図２に示すオヒロメサーバによって提供されるオヒロメサイトにおけるパーティー検索画面例である。
【図２８】図２に示すオヒロメサーバによって提供されるオヒロメサイトにおけるＷｉｓｈＬｉｓｔ一覧画面例である。
【図２９】図２８に示すＷｉｓｈＬｉｓｔ一覧画面例のプレゼント購入画面例である
【図３０】図２に示すオヒロメサーバのお披露目処理の流れを示すフローチャートである。
【発明を実施するための形態】
【００１０】
以下、図を参照して本発明の実施形態を詳細に説明する。
【００１１】
図１は、本実施形態のオヒロメシステムＸの全体を示すシステム構成図である。オヒロメシステムＸは、ＳＮＳ（Social Networking Service）を利用して、利用者の関係者等に利用者のお披露目情報をお披露目する（知らせる）ものである。オヒロメシステムＸは、利用者端末１とＳＮＳサーバ３とオヒロメサーバ４（Ｗｅｂサーバ）とで構成される。利用者端末１とＳＮＳサーバ３とオヒロメサーバ４とは、インターネット２を介して相互に接続されている。
【００１２】
ＳＮＳサーバ３は、コミュニティ型のＷｅｂサイトであるＳＮＳサイトを有し、ＳＮＳサイトを介してＳＮＳに参加している利用者のＳＮＳ情報をＳＮＳ情報ＤＢ３１に記憶している。ＳＮＳ情報には、例えば、利用者のＩＤ情報、プロフィール、ソーシャルグラフ、ＳＮＳ上の行動記録等を示すアクティビティ等が含まれる。
【００１３】
オヒロメサーバ４は、Ｗｅｂサーバであり、利用者のお披露目情報をお披露目する場となるオヒロメサイトを提供する。オヒロメサーバ４は、オヒロメサイトにおいて、ＳＮＳを利用して、利用者の関係者等に利用者のお披露目情報を簡易かつ広く知らせる。オヒロメサイトは、ＳＮＳサイトのプラットフォーム上で動作するよう構築されてもよく、例えば、ソーシャルアプリケーションであってもよい。また、オヒロメサイトは、パーソナルコンピュータ１ａや携帯端末１ｂ等の様々な利用者端末１で利用可能とするため、Ｆｌａｓｈ（登録商標）を用いずにＪａｖａＳｃｒｉｐｔ（登録商標）で開発されてもよい。なお、ここでは、オヒロメサーバ４は、１つのＳＮＳサーバ３と連携するものとして示しているが、ＳＮＳサイトを個々に提供する複数のＳＮＳサーバ３と連携してもよい。
【００１４】
利用者は、利用者端末１を介して、ＳＮＳサーバ３が提供するＳＮＳサイトを通じてＳＮＳに参加している。利用者は、利用者端末１を介して、オヒロメサーバ４が提供するオヒロメサイト上で、ＳＮＳを利用して、お披露目情報のお披露目を行うパーティーを開催したり、パーティーに参加してパーティーを盛り上げたりすることができる。
【００１５】
後で詳しく説明するが、オヒロメサーバ４は、利用者によってお披露目情報が登録されると、オヒロメサイト上で利用者に割り当てたパーティーページにお披露目情報を掲載してお披露目を行う。パーティーページでは、利用者同士による双方向コミュニケーションが可能であり、お披露目情報を介してコミュニティが形成される。言い換えれば、利用者は、オヒロメサイトでバーチャルのパーティーを開催して、そのパーティーに関係者を招待してお披露目情報のお披露目を行うことができる。本実施形態では、利用者がオヒロメサイトでお披露目情報のお披露目を行うことを「パーティーを開催する」と呼び、お披露目を行う場を「パーティー」と呼ぶ。また、パーティーに参加している利用者を参加者と呼び、参加者のうち、パーティーを開催する利用者をホスト（主催者）と呼び、ホストによってパーティーに招待される利用者をゲストと呼ぶ。また、特にこれらを区別する必要がない場合に単に利用者と呼ぶ。以下では、利用者のお披露目情報が、結婚報告である場合を例に説明する。本実施形態では、お披露目情報を有する利用者がホストになってパーティーを開催する場合を例に説明するが、お披露目情報を有する利用者とホストとがそれぞれ別の利用者であってもよい。例えば、お披露目情報を有する利用者の友達等がホストとなり、お披露目情報を有する利用者のためにパーティーを開催してもよい。
【００１６】
図２は、オヒロメサーバ４の構成を示す機能ブロック図である。オヒロメサーバ４は、通信処理部４０とＳＮＳ連携部４２と処理制御部４４とパーティー記憶部４６とメールＤＢ４８とを備えている。オヒロメサーバ４は、予め不図示のＲＯＭ等に格納されたプログラムを読み出して、不図示のワークメモリに展開して実行することで、通信処理部４０とＳＮＳ連携部４２と処理制御部４４とパーティー記憶部４６とメールＤＢ４８の各部を制御してオヒロメサーバ４のお披露目機能を実現し、オヒロメサイトにアクセスする利用者に対してお披露目情報をお披露目するお披露目サービスの提供を行う。また、オヒロメサーバ４は、コンピュータ読み取り可能な記録媒体に記録されたプログラムを読み出して実行することで、各部を制御してオヒロメサーバ４のお披露目機能を実現してもよい。パーティー記憶部４６やメールＤＢ４８は、データベースサーバにより構成されてもよく、その場合、ネットワークを介して処理制御部４４からアクセスされてもよい。
【００１７】
パーティー記憶部４６は、会員情報テーブル４６０とゲストテーブル４６４とパーティー情報テーブル４６３と商品情報テーブル４６２とＷｉｓｈＬｉｓｔテーブル４６１とを有する。
【００１８】
会員情報テーブル４６０は、各利用者を識別する利用者ＩＤと利用者の会員情報とを関連付けて記憶する。会員情報テーブル４６０は、ＳＮＳサイトにおける利用者の識別ＩＤを利用者ＩＤとして記憶してもよいし、会員情報処理部４４０によって付番された利用者ＩＤと識別ＩＤとを関連付けて記憶してもよい。会員情報には、利用者の姓名やメールアドレス等が含まれる。
【００１９】
ゲストテーブル４６４は、パーティーＩＤとゲストの利用者ＩＤとゲストのパーティーにおける参加ステータスとを関連付けて記憶する。参加ステータスには、“参加”、“不参加”、“招待済”、“申請有”を示すステータスがある。参加ステータスが“参加”である場合、招待されたゲストが参加の回答をしており、逆に、参加ステータスが“不参加”である場合、招待されたゲストが不参加の回答をしていることを示す。また、参加ステータスが“招待済”である場合、招待されたゲストから参加又は不参加の回答がないことを示す。参加ステータスが“申請有”である場合、ホストが招待していない利用者からホストのパーティーに招待して欲しい旨の申請があることを示す。また、ゲストテーブル４６４には、パーティーに参加するゲストの参加情報も関連付けられて記憶される。参加情報には、招待されたパーティーにおける、ゲストとホストとの関係（同僚、友人、又は親族等）や、お祝いメッセージ、写真や動画データ等のコンテンツ情報等がある。
【００２０】
パーティー情報テーブル４６３は、各パーティーを識別するパーティーＩＤとホストの利用者ＩＤとホストのお披露目に関するパーティー情報とＷｉｓｈＬｉｓｔＩＤとを関連付けて記憶している。ＷｉｓｈＬｉｓｔＩＤは、ホストがＷｉｓｈＬｉｓｔによるプレゼントを望む場合にパーティー情報テーブル４６３に登録される。
【００２１】
ＷｉｓｈＬｉｓｔテーブル４６１は、各ＷｉｓｈＬｉｓｔを識別するＷｉｓｈＬｉｓｔＩＤとＷｉｓｈＬｉｓｔの作成者の利用者ＩＤと作成者によって選択された各商品の商品ＩＤとを関連付けて記憶する。
【００２２】
商品情報テーブル４６２は、各商品を識別する商品ＩＤと商品情報とを対応付けて記憶している。
【００２３】
メールＤＢ４８は、メッセージ処理部４４７と通信処理部４０を介して送受信されるメッセージ等を記憶している。
【００２４】
通信処理部４０は、通信インタフェースを備え、利用者端末１やＳＮＳサーバ３の間における通信処理を行い、Ｗｅｂページを表示させたりＨｔｔｐ通信等を行ったりする。
【００２５】
ＳＮＳ連携部４２は、ＳＮＳサーバ３から提供されるＡＰＩ（Application Programming Interface）を有している。ＳＮＳ連携部４２は、処理制御部４４の制御に従って、通信処理部４０を介して、ＳＮＳサーバ３のＳＮＳ情報ＤＢ３１から利用者のＳＮＳ情報を取得したり、利用者のオヒロメサイト内の更新情報等を利用者のフィード情報としてＳＮＳサイト内で配信したりする。
【００２６】
処理制御部４４は、会員情報処理部４４０とＷｉｓｈＬｉｓｔ処理部４４１とパーティー登録部４４２とゲスト招待部４４３と招待申請部４４４と決済処理部４４５とパーティー処理部４４６とメッセージ処理部４４７とを有する。
【００２７】
会員情報処理部４４０は、利用者がオヒロメサイトにログインしてくると、ＳＮＳ連携部４２を介してＳＮＳサイトにリダイレクト（転送）させてログインさせる。会員情報処理部４４０は、利用者がＳＮＳサイトのログインに成功した場合に、ＳＮＳ連携部４２を介してＳＮＳサーバ３から認証に成功した利用者のＳＮＳ情報を取得する。会員情報処理部４４０は、取得したＳＮＳ情報に対応する利用者ＩＤを会員情報テーブル４６０から取得して、パーティー記憶部４６に記憶された利用者の情報に基づいて、利用者のマイページを表示させる。会員情報処理部４４０は、利用者がＳＮＳサイトに会員登録していない場合、ＳＮＳサイトに会員登録することをオヒロメサイトの利用条件としてもよい。
【００２８】
パーティー登録部４４２は、ホストのお披露目情報をお披露目するパーティーの登録を行う。パーティー登録部４４２は、ホストによって入力されるパーティー情報を取得すると、パーティーＩＤを付番して、ホストの利用者ＩＤとパーティー情報とを関連付けてパーティー情報テーブル４６３に記憶させる。ホストによって入力されるパーティー情報は、パーティーページのコンテンツであり、ホストのお披露目情報が含まれる。例えば、パーティー情報には、新郎新婦のプロフィールや、挙式情報、写真や動画等の映像データ、パーティーページの背景画像、パーティーページが表示された際に再生されるＢＧＭ（バックグラウンドミュージック）、ゲストへメッセージ、なれ初めプロフィール、２人のエピソード等がある。
【００２９】
ゲスト招待部４４３は、ホストが関係者をゲストとしてパーティーに招待できるようにするものである。まず、ゲスト招待部４４３は、ホストのＳＮＳ情報や連絡先等からホストの関係者をゲスト候補として取得して、ゲスト招待画面に一覧表示する。
【００３０】
具体的には、ゲスト招待部４４３は、ＳＮＳ情報からゲスト候補を取得する場合、ＳＮＳ連携部４２を介してＳＮＳサーバ３からホストのＳＮＳ情報を取得し、取得したＳＮＳ情報からホストの友達情報（ＳＮＳサイトにおいてホストによって友達として承認されている人に関する情報）をゲスト候補としてもよい。また、ゲスト招待部４４３は、ＳＮＳ情報からホストの高校名や大学名あるいは会社名等の経歴情報を取得し、ＳＮＳサーバ３のＳＮＳ情報を検索してホストと同じ経歴情報を有する人をゲスト候補としてもよい。また、ゲスト招待部４４３は、ＳＮＳ情報からホストのコミュニティ情報を取得し、ＳＮＳサーバ３のＳＮＳ情報を検索してホストと同じコミュニティに所属する人をゲスト候補としてもよい。
【００３１】
また、ゲスト招待部４４３は、ホストの連絡先からゲスト候補を取得する場合、サードパーティ等の外部サイト（例えば、ホストの利用しているＷｅｂメールサイト等）からホストの連絡先（アドレス帳）を取得し、連絡先に登録されている人をゲスト候補とすればよい。また、ゲスト招待部４４３は、ホストによってメールアドレスが入力されたときに、そのメールアドレスの持ち主をゲスト候補としてもよい。
【００３２】
次に、ゲスト招待部４４３は、ゲスト招待画面に一覧表示されたゲスト候補の中からホストによって選択されたゲスト候補をゲストとして取得し、メッセージ処理部４４７を介して各ゲスト宛にパーティーの招待状をメールで送信する。また、ゲスト招待部４４３は、ゲストの利用者ＩＤとパーティーのパーティーＩＤと参加ステータス（“招待済”）とを関連付けてゲストテーブル４６４に記憶する。パーティーの招待状を受信したゲストは、利用者毎にオヒロメサイトで設けられるマイページからパーティーの詳細を確認することができる。なお、ゲスト招待部４４３は、ゲストの会員登録が行われていない場合、すなわち、会員情報テーブル４６０にゲストの利用者ＩＤが記憶されていない場合、ゲストの利用者ＩＤの代わりにゲストのメールアドレスをゲストテーブル４６４に登録してもよい。この場合、会員情報処理部４４０が、会員情報テーブル４６０に新たに利用者ＩＤを新規登録処理した際に、新規会員登録した利用者のメールアドレスがゲストテーブル４６４に登録されているかをチェックし、登録されていた場合、そのメールアドレスを新規会員登録時に付番した利用者ＩＤに変更するようにしてもよい。
【００３３】
これに対し、招待申請部４４４は、利用者がパーティーの検索を行い、所望のパーティーのホストに自身をゲストとして招待するよう招待申請できるようにするものである。具体的には、招待申請部４４４は、利用者によって入力される利用者情報（パーティーのホスト又はゲストの姓名若しくはメールアドレス）に該当する利用者ＩＤを会員情報テーブル４６０から取得し、この利用者ＩＤがパーティーテーブル又はゲストテーブル４６４に存在するパーティーを検索して、パーティー検索画面に一覧表示させる。招待申請部４４４は、一覧表示されたパーティーの中から招待申請を行うパーティーが利用者によって選択されると、メッセージ処理部４４７を介して、そのパーティーのホストに招待申請がある旨のメールを送信する。それとともに、招待申請部４４４は、招待申請を行った利用者の利用者ＩＤと招待申請に係るパーティーのパーティーＩＤと参加ステータス（“申請有”）とを関連付けてゲストテーブル４６４に記憶する。ゲスト招待部４４３は、招待申請がある旨のメールを受信したホストによって、この利用者の招待申請が承認されると、ゲストテーブル４６４を参照して、招待申請を行った利用者のパーティーの参加ステータスを“申請有”から“招待済”に変更するとともに、メッセージ処理部４４７を介して、招待申請を行った利用者にパーティーの招待状を送信する。これにより、招待申請を行った利用者は、招待申請したパーティーにゲストとして参加することができる。
【００３４】
ＷｉｓｈＬｉｓｔ処理部４４１は、商品情報テーブル４６２の商品情報の中からホストによって選択された商品群をＷｉｓｈＬｉｓｔとして管理し、ゲストがホストにプレゼントを贈る際に、ＷｉｓｈＬｉｓｔの商品群の中から商品を選択して、決済処理部４４５を介して購入できるようにするものである。具体的には、ＷｉｓｈＬｉｓｔ処理部４４１は、ＷｉｓｈＬｉｓｔ登録画面を介して利用者により入力される商品情報を取得すると、商品情報テーブル４６２を検索して、入力された商品情報に該当する商品を一覧表示させる。ＷｉｓｈＬｉｓｔ処理部４４１は、一覧表示された商品の中から利用者によって所望の商品が選択されると、選択された商品の商品ＩＤと利用者ＩＤとにＷｉｓｈＬｉｓｔＩＤを付番してＷｉｓｈＬｉｓｔを作成し、ＷｉｓｈＬｉｓｔテーブル４６１に記憶させる。ＷｉｓｈＬｉｓｔ処理部４４１は、ＷｉｓｈＬｉｓｔテーブル４６１に記憶されているＷｉｓｈＬｉｓｔを取得して、利用者に編集させて更新してもよい。作成されたＷｉｓｈＬｉｓｔが、ホストのパーティーで利用される場合、ホストのパーティーが記憶されたパーティー情報テーブル４６３のレコードにＷｉｓｈＬｉｓｔＩＤが追記される。
【００３５】
また、ＷｉｓｈＬｉｓｔ処理部４４１は、例えばＥＣ（Electronic Commerce）サイト等のように、サードパーティ等の外部サイトにより構築された商品情報やＷｉｓｈＬｉｓｔ情報に基づいて、ＷｉｓｈＬｉｓｔに関する処理を行ってもよい。例えば、ＷｉｓｈＬｉｓｔ処理部４４１は、外部サイトの商品情報テーブル（商品ＤＢ）に記憶された商品情報の中から、ホストが商品を選択してＷｉｓｈＬｉｓｔを作成できるようにしてもよい。また、ＷｉｓｈＬｉｓｔ処理部４４１は、外部サイトで既に利用者によって作成されたＷｉｓｈＬｉｓｔがある場合に、そのＷｉｓｈＬｉｓｔに関する情報を外部サイトから通信処理部４０を介して取得し、ホストのパーティーに関連付けてもよい。
【００３６】
決済処理部４４５は、オヒロメサイトの運営会社に対するホストからの寄付や、ゲストのＷｉｓｈＬｉｓｔによる商品購入に関する決済処理等を行う。
【００３７】
パーティー処理部４４６は、パーティーページ等のＷｅｂページの生成や動的処理表示等を行う。
【００３８】
メッセージ処理部４４７は、利用者間で行われるメッセージの送受信をメールＤＢ４８に記憶させる。メッセージには、メール、Ｔｗｉｔｔｅｒ（登録商標）等が含まれる。
【００３９】
次に、図を参照して、具体的に利用者端末１に表示されるオヒロメサイトの画面例に基づいて説明する。
【００４０】
図３は、オヒロメサイトのログイン画面の一例である。ログイン画面ｇ１００の「ログイン」ボタンｂ１００がクリックされると、会員情報処理部４４０により、ＳＮＳ連携部４２を介してＳＮＳサイトにリダイレクトされてＳＮＳサーバ３により利用者のログイン処理が行われる。ログイン認証に成功した場合に、会員情報処理部４４０により、ＳＮＳサイトにおける利用者の識別ＩＤと会員情報テーブル４６０の利用者ＩＤが取得され、利用者ＩＤに対応する利用者のマイページ画面が表示される。会員情報処理部４４０は、会員情報テーブル４６０に識別ＩＤに対応する利用者ＩＤが記憶されていない場合、新規に利用者ＩＤを付番して会員情報テーブル４６０に記憶させればよい。
【００４１】
図４は、オヒロメサイトのログイン後に表示される利用者のマイページ画面の一例である。マイページ画面ｇ１１０には、「プロフィール」欄ｒ１１０と「メールの新着お知らせ」欄ｒ１１１と「招待されているパーティー」欄ｒ１１２と「参加しているパーティー」欄ｒ１１３と「お祝いメッセージの管理」欄ｒ１１４とが表示される。また、マイページ画面ｇ１１０には、「パーティーを開催する」ボタンｂ１１０と「２人のパーティーを管理する」ボタンｂ１１１と「パーティー承認」ボタンｂ１１２とが配置される。
【００４２】
「プロフィール」欄ｒ１１０には、利用者のプロフィールが表示される。このプロフィールは、利用者のＳＮＳ情報から取得されたものである。利用者は、利用者端末１を介して、「プロフィール」欄に設けられた「プロフィールを変更する」リンクをクリックして、表示されるプロフィール変更画面でプロフィールを変更することができる。
【００４３】
「メールの新着お知らせ」欄ｒ１１１には、利用者のプライベートメールについて、未読メール件数と、利用者の未読メールのうち最も直近の未読メールの内容とが表示される。利用者には、オヒロメサイトで利用可能なメールアドレスが付与され、利用者間でメールの送受信を行うことができる。ここでは、オヒロメサイトで利用可能なメールをプライベートメールと呼ぶ。利用者は、「メールの新着お知らせ」欄に設けられた「すべてのプライベートメール」リンクｌ１１１をクリックして、表示されるプライベートメール一覧画面ですべてのプライベートメールを確認することができる。
【００４４】
図５は、プライベートメール一覧画面の一例である。プライベートメール一覧画面ｇ１２０では、受信箱ｔ１２０と送信済みｔ１２１とコンタクト履歴ｔ１２２とのタブにより、プライベートメールの表示を切り替えできるよう構成されている。受信箱ｔ１２０のタブがクリックされると、受信メール一覧が表示され、送信済みｔ１２１のタブがクリックされると、送信メール一覧が表示され、コンタクト履歴ｔ１２２のタブがクリックされると、利用者がプライベートメールを送信したことのある送信先の利用者毎に最新の新着メールが一覧表示される。
【００４５】
図５では、受信箱ｔ１２０のタブ画面が表示されており、受信メールが簡易表示されている。各受信メールには、チェックボックスｃｈｋ１２０が設けられ、チェックボックスｃｈｋ１２０にチェックが入れられている受信メールについては、「削除する」ボタンｂ１２０がクリックされることで削除される。また、「全選択」リンクｌ１２０がクリックされることで、受信箱で表示されている全ての受信メールのチェックボックスｃｈｋ１２０にチェックが入れられる。受信メールの「詳細を見る」リンクｌ１２１がクリックされると、受信メールの詳細を示すプライベートメール詳細画面が表示される。
【００４６】
図６は、プライベートメール詳細画面の一例である。プライベートメール詳細画面ｇ１３０では、各メールに返信メールが関連付けられて、上から下に時系列で降順に一連のメールが表示される。各メールには、「返信する」ボタンｂ１３０と「削除する」ボタンｂ１３１とが表示されている。「返信する」ボタンｂ１３０がクリックされると、そのメールに返信でき、「削除する」ボタンｂ１３１がクリックされると、そのメールが削除される。
【００４７】
図４に戻り、「招待されているパーティー」欄ｒ１１２には、利用者がゲストとして招待されており、かつ、参加状態ステータスが“招待済”であるすべてのパーティーが一覧表示される。すなわち、ここで表示されるパーティーとは、利用者が、招待されたパーティーのホストに対して参加するか参加しないかを回答していないパーティーである。各パーティーの表示欄には、「○○さんと××さんのパーティー」リンク（○○さん、××さんは、ホスト名を表す）とホストがゲストをパーティーに招待した日付と「参加する」ボタンｂ１１３と「参加しない」ボタンｂ１１４とが表示される。「参加する」ボタンｂ１１３がクリックされると、ホストにパーティーに参加することを回答でき、「参加しない」ボタンｂ１１４がクリックされると、ホストにパーティーに参加しないことを回答できる。「招待されているパーティー」欄ｒ１１２は、招待されているパーティーがある場合のみ表示される。
【００４８】
「参加しているパーティー」欄ｒ１１３には、利用者がゲストとして招待されており、かつ、参加状態ステータスが“参加”であるパーティーのうち所定件数が一覧表示される。すなわち、ここで表示されるパーティーとは、利用者が、招待されたパーティーのホストに対して参加する旨を回答したパーティーである。各パーティーの表示欄には、「○○さんと××さんのパーティー」リンクとホストがパーティーを登録した日付とが表示される。「参加しているパーティー」欄ｒ１１３は、参加しているパーティーがある場合のみ表示される。「すべての参加しているパーティー」リンクｌ１１２がクリックされると、この利用者が参加しているすべてのパーティーが一覧表示される。
【００４９】
「お祝いメッセージの管理」欄ｒ１１４には、利用者が送受信したお祝いメッセージのうち、最も直近のお祝いメッセージが表示される。利用者は、利用者端末１を介して、「お祝いメッセージの管理」欄ｒ１１４に設けられた「すべてのお祝いメッセージ」リンクｌ１１３をクリックして、表示されるお祝いメッセージ一覧画面ですべてのお祝いメッセージを確認することができる。
【００５０】
「パーティーを開催する」ボタンｂ１１０は、利用者がホストとなって開催するパーティーを登録するためのボタンであり、クリックされるとパーティーの登録画面を表示させる。「パーティーを開催する」ボタンｂ１１０は、利用者がパーティーを未登録であるときに表示される。
「２人のパーティーを管理する」ボタンｂ１１１は、クリックされると、利用者がホストとなって登録しているパーティーについて、パーティー管理画面を表示させる。「２人のパーティーを管理する」ボタンｂ１１１は、利用者がパーティーを登録しているときに表示される。
「パーティー承認」ボタンｂ１１２は、利用者がパートナーとして選択され、後述するパーティーの承認確認を受けているときに表示される。承認確認を受けている利用者によって「パーティー承認」ボタンｂ１１２がクリックされると、パーティー登録部４４２により、このパートナーの利用者ＩＤがパーティー情報テーブル４６３におけるホストの登録したパーティーＩＤのレコードに追記される。つまり、このパートナーが、ホストとしてパーティーに参加できるようになる。
【００５１】
まず、利用者がパーティーを登録する場合の流れを説明する。利用者が、利用者端末１を介して、マイページの「パーティーを開催する」ボタンｂ１１０をクリックすると、図７に示すパーティー登録画面が表示される。
【００５２】
図７は、パーティー登録画面の一例である。パーティー登録画面ｇ１４０には、ホストの性別に応じて新郎名又は新婦名にホスト名が表示され、ホスト名が表示されなかった欄に「パートナーを選択する」リンクｌ１４０が表示される。「パートナーを選択する」リンクｌ１４０がクリックされると、パートナー選択画面が表示される。
【００５３】
図８は、パートナー選択画面の一例である。パートナー選択画面ｇ１５０では、ホストによってパートナーの姓名又はメールアドレスが入力され、「検索する」ボタンｂ１５０がクリックされると、入力されたパートナーの姓名又はメールアドレスに対応するＳＮＳ情報がＳＮＳ連携部４２を介して取得され、ＳＮＳ情報に基づいてパートナー候補が一覧表示される。各パートナー候補の表示欄には、パートナー候補名と「選択する」ボタンｂ１５１とが表示される。パートナー候補名がクリックされると、パートナー候補のプロフィール等が表示され、ホストのパートナーであるか確認することができる。パートナー候補の表示欄の「選択する」ボタンｂ１５１がクリックされると、選択されたパートナーにパーティーの承認に関する承認確認メールが送信される。パートナーが選択されると、図７のパーティー登録画面ｇ１４０の「パートナーを選択する」リンクは、パートナー選択済みとして表示される。
【００５４】
図７に戻り、パーティー登録画面ｇ１４０の「挙式」欄には、「結婚式を挙げる」又は「結婚式を挙げない」を選択する選択項目がある。「結婚式を挙げる」が選択された場合、結婚式を挙げる場所及び日時を入力する挙式情報入力欄が表示される。また、パーティー登録画面には、写真や動画のデータをアップロードするためのファイル選択欄や、オヒロメサイト上で表示されるパーティーページの背景画像を選択する選択欄、パーティーページが表示される際に利用者端末１で再生される音楽を選択する選択欄、ゲストへのメッセージ入力欄、２人のなれ初めプロフィール欄等がある。パーティーページの背景画像については、「デザインのサンプルを見る」リンクｌ１４１より、背景画像のサンプルを確認することができる。背景画像には、ハートや、自然、夜景、純白等のイメージ画像があり、他にもビーチや、森の中、海の中、宇宙等のように現実のパーティー会場として実現しにくいイメージ画像が用意されてもよい。「確認する」ボタンｂ１４０がクリックされると、パーティー登録確認画面を介して、パーティー登録部４４２によりパーティーＩＤが付番され、パーティー登録画面ｇ１４０で設定されたパーティー情報がパーティー情報テーブル４６３に登録される。これにより、例えば、オヒロメサイト上でパーティーＩＤにより識別されるページにホストのお披露目情報を掲載するためのパーティーページが割り当てられる。その後、２人のエピソードを登録するエピソード登録画面が表示される。
【００５５】
図９は、エピソード登録画面の一例である。エピソード登録画面ｇ１６０では、写真データをアップロードするファイル選択欄と所定のエピソード項目に対する入力欄とが表示される。ホストは、「項目を追加する」リンクｌ１６０をクリックすることで、所定のエピソード項目以外に所望のエピソード項目を追加することができる。「確認する」ボタンｂ１６０がクリックされると、エピソード登録確認画面を介して、エピソード登録画面ｇ１６０で入力されたエピソードがパーティー登録部４４２によりパーティー情報テーブル４６３に追記され、Ｔｗｉｔｔｅｒ用のハッシュタグ生成画面が表示される。
【００５６】
図１０は、ハッシュタグ生成画面の一例である。ハッシュタグ生成画面ｇ１７０では、このパーティー固有のハッシュタグが表示される。ハッシュタグは、新郎名と新婦名のローマ字を含んで構成される。ホストやゲストは、Ｔｗｉｔｔｅｒのメッセージにパーティー固有のハッシュタグを付けて発信することで、パーティーに関するメッセージをハッシュタグにより簡単に見つけることができる。また、オヒロメサイトにおいて各パーティーの更新情報がある場合、オヒロメサイトのＴｗｉｔｔｅｒアカウントより各パーティーのハッシュタグが付加された更新情報が発信される。「登録する」ボタンｂ１７０がクリックされると、生成されたハッシュタグがパーティー情報としてパーティー登録部４４２によりパーティー情報テーブル４６３に追記されるともに、パーティー登録完了画面が表示され、パーティーが登録されたことを確認できる。なお、ホストがオヒロメサイトでパーティーを登録したことは、ＳＮＳ連携部４２を介して、ＳＮＳサイトにおけるホストのフィード情報で通知され、ＳＮＳサイトにおいても告知される。
【００５７】
ホストは、登録したパーティーについて、「２人のパーティー管理」リンクｌ１７０や「２人のパーティーを管理する」ボタンｂ１１１（図４）をクリックすることで表示されるパーティー管理画面で、適宜修正や確認を行うことができる。
【００５８】
図１１は、パーティー管理画面の一例である。パーティー管理画面ｇ１８０の画面上部には、「パーティートップ」ボタンｂ１８０と「２人のエピソード」ボタンｂ１８１と「バーチャル披露宴」ボタンｂ１８２と「お祝いメッセージ一覧」ボタンｂ１８３と「ＷｉｓｈＬｉｓｔ」ボタンｂ１８４とが表示される。また、画面左側には、メインビジュアル欄ｒ１８０とプロフィール欄ｒ１８１とバーチャル披露宴欄ｒ１８２と新着メッセージ欄ｒ１８３とが表示される。また、画面右側には、Ｔｗｉｔｔｅｒ新着メッセージ欄ｒ１８４とＷｉｓｈＬｉｓｔ欄ｒ１８５と「寄付」ボタンｂ１８５とが表示される。
【００５９】
メインビジュアル欄ｒ１８０では、ホストによってアップロードされた写真や動画の再生表示が行われる。メインビジュアル欄ｒ１８０の上部に配置された「ウェディングパーティー変更」リンクｌ１８０がクリックされると、パーティー情報が入力されたパーティー登録画面が表示され、パーティー情報を変更することができる。
プロフィール欄ｒ１８１では、「２人のエピソード詳細管理」リンクｌ１８１がクリックされると、ホストのエピソードが入力されたエピソード登録画面が表示され、エピソードを変更することができる。
バーチャル披露宴欄ｒ１８２では、「ゲストを招待する」リンクｌ１８２と「ゲスト一覧」リンクｌ１８３とが表示される。
新着メッセージ欄ｒ１８３では、パーティーに関してゲストから送信された最新のお祝いメッセージと「お祝いメッセージ一覧」リンクｌ１８４とが表示される。
Ｔｗｉｔｔｅｒ新着メッセージ欄ｒ１８４では、このパーティーのハッシュタグが付加されたＴｗｉｔｔｅｒのメッセージが所定件数表示され、新着メッセージが届く度に各メッセージの表示位置が更新され、最も古いメッセージから表示されなくなるようスクロール動作する。
ＷｉｓｈＬｉｓｔ欄ｒ１８５では、「ＷｉｓｈＬｉｓｔ登録一覧」リンクｌ１８５が表示されるとともに、ホストによって登録されたＷｉｓｈＬｉｓｔの商品画像がランダムに所定件数表示される。
「寄付」ボタンｂ１８５は、クリックされると、決済処理画面を表示させ、決済処理部４４５を介して、オヒロメサイトの利用に関してホストの所望の金額をオヒロメサイト運営会社に寄付させることができる。
【００６０】
ホストは、「ＷｉｓｈＬｉｓｔ登録一覧」リンクｌ１８５をクリックすることにより、プレゼントされたい所望の商品群で構成されるＷｉｓｈＬｉｓｔを作成し、パーティーに関連付けることができる。
【００６１】
図１２は、「ＷｉｓｈＬｉｓｔ登録一覧」リンクｌ１８５がクリックされると表示されるＷｉｓｈＬｉｓｔ登録一覧画面の一例である。ＷｉｓｈＬｉｓｔ登録一覧画面ｇ１９０には、ホストが登録したＷｉｓｈＬｉｓｔが表示される。ＷｉｓｈＬｉｓｔの各商品欄には、商品画像、商品名、商品説明、商品価格等の商品情報が表示される。また、各商品欄には、「削除する」リンクｌ１９０が表示される。ホストは、「削除する」リンクｌ１９０をクリックすることで、当該商品をＷｉｓｈＬｉｓｔから削除することができる。また、各商品について、ゲストによって入力されたプレゼントコメントが付いている場合、「お礼する」リンクｌ１９１が表示される。ホストが、「お礼する」リンクｌ１９１をクリックすると、お礼コメント入力画面が表示され、プレゼントコメントに対するお礼コメントを入力することができる。
【００６２】
図１３は、お礼コメント入力画面の一例である。お礼コメント入力画面ｇ２００では、プレゼントコメントに対するお礼コメントを入力することができる。「確認する」ボタンｂ２００がクリックされると、お礼コメント入力確認画面を介して、お礼コメント入力画面ｇ２００で入力されたお礼コメントが登録されて、ＷｉｓｈＬｉｓｔ登録一覧画面ｇ１９０に表示される。
【００６３】
ＷｉｓｈＬｉｓｔに新たな商品を追加したい場合、図１２のＷｉｓｈＬｉｓｔ登録一覧画面における画面下部の欲しい商品を追加する欄ｒ１９０に、欲しい商品に関するキーワードを入力して、「検索」ボタンｂ１９０をクリックすることで、ＷｉｓｈＬｉｓｔに登録する商品を検索できるＷｉｓｈＬｉｓｔ検索画面が表示される。
【００６４】
図１４は、ＷｉｓｈＬｉｓｔ検索画面の一例である。ＷｉｓｈＬｉｓｔ検索画面ｇ２１０では、欲しい商品は？欄に図１３のＷｉｓｈＬｉｓｔ登録一覧画面ｇ１９０で入力されたキーワードが表示され、このキーワードに該当する商品が一覧表示される。ホストは、キーワードを変更して検索ボタンｂ２１０をクリックすると、商品を検索し直すことができる。ホストが、一覧表示された商品の中から、ＷｉｓｈＬｉｓｔに登録したい商品画像をクリックすると、ＷｉｓｈＬｉｓｔ登録画面が表示される。
【００６５】
図１５は、ＷｉｓｈＬｉｓｔ登録画面の一例である。ＷｉｓｈＬｉｓｔ登録画面ｇ２２０では、ＷｉｓｈＬｉｓｔ検索画面ｇ２１０で選択された商品とこの商品の届け先が入力される商品届先欄とが表示される。商品届先欄には、以前に商品届先欄に入力された住所及び電話番号がある場合、その住所及び電話番号が入力された状態で表示される。ホストの会員情報に住所及び電話番号が登録されている場合、その住所及び電話番号が商品届先欄に表示されてもよい。また、ＳＮＳ情報から取得されたホストの住所及び電話番号が商品届先欄に表示されてもよい。「登録する」ボタンｂ２２０がクリックされると、表示された商品がホストのＷｉｓｈＬｉｓｔに登録され、登録が完了した旨の完了メッセージが表示される。「戻る」ボタンｂ２２１がクリックされると、図１４のＷｉｓｈＬｉｓｔ検索画面ｇ２１０に戻って商品を検索し直すことができる。
【００６６】
図１１に戻り、ホストは、「ゲストを招待する」リンクｌ１８２をクリックすることにより、パーティーにゲストを招待することができる。
【００６７】
図１６は、「ゲストを招待する」リンクｌ１８２がクリックされると表示されるゲスト招待画面の一例である。ゲスト招待画面ｇ２３０の「連絡先を取り込み」リンクｌ２３０がクリックされると、サードパーティ等からホストの連絡先情報が取り込まれ、ゲストメールアドレス欄ｒ２３０にゲスト候補のメールアドレスが一覧表示される。ホストは、ゲストメールアドレス欄ｒ２３０に表示されたメールアドレスの中から、ゲストとして招待する人のメールアドレスだけを残すよう編集すればよい。ホストは、ゲストへメッセージ欄ｒ２３１にゲストへのメッセージを入力し、「確認する」ボタンｂ２３０をクリックすることで、ゲスト招待確認画面を介して、各ゲストにパーティーの招待状をメールで送信することができる。また、ゲスト招待部４４３により、パーティーにゲストが招待されたことが登録される。また、これに伴い、ＳＮＳ連携部４２は、ホストがオヒロメサイトでパーティーを登録してゲストを招待したことを、ＳＮＳサイトのホストのフィード情報として通知する。
【００６８】
また、「ゲストを招待する」リンクｌ１８２がクリックされると、ＳＮＳ連携部４２を介してホストのＳＮＳ情報が取得され、フレンズゲスト招待画面が表示されてもよい。図１７は、フレンズゲスト招待画面の一例である。フレンズゲスト招待画面ｇ２４０では、ホストのＳＮＳ情報から取得されたホストの関係者（例えば、ＳＮＳ情報における友達情報）がゲスト候補として一覧表示される。各ゲスト候補には、ＳＮＳ情報から取得されたゲストの写真やプロフィールと「招待する」ボタンｂ２４０が表示される。ホストによって「招待する」ボタンｂ２４０がクリックされたゲスト候補がゲストとして選択される。選択されたゲストには、ゲストへのメッセージとともにパーティーの招待状がメールで送信される。また、ゲスト招待部４４３により、パーティーにゲストが招待されたことが登録される。また、これに伴い、ＳＮＳ連携部４２は、ホストがオヒロメサイトでパーティーを登録してゲストを招待したことを、ＳＮＳサイトのホストのフィード情報として通知する。
【００６９】
なお、ゲスト招待部４４３は、フレンズゲスト招待画面ｇ２４０やゲスト招待画面ｇ２３０で一覧表示されたゲスト候補についてＳＮＳ情報を取得して、ホストとの関係を表示させてもよい。例えば、ＳＮＳ情報におけるゲスト候補の年齢や経歴とホストの年齢や経歴とを比較して、ホストと同じ経歴のＳＮＳ情報を有するゲスト候補について、ホストと同じ年齢のゲスト候補であれば、例えば、「もしかして高校の同級生ではないですか？」と表示させ、ホストより年上のゲスト候補であれば、「もしかして高校の先輩ではないですか？」と表示させ、ホストより年下のゲスト候補であれば、「もしかして高校の後輩ではないですか？」等と表示させてもよい。
【００７０】
図１１のパーティー管理画面ｇ１８０の「ゲスト一覧」リンクｌ１８３がクリックされると、ゲスト一覧画面が表示され、パーティーのゲストを確認することができる。図１８は、ゲスト一覧画面の一例である。ゲスト一覧画面ｇ２４５では、ホストのパーティーにおけるゲストが一覧表示される。各ゲストの表示欄には、チェックボックスｃｈｋ２４５と姓名とメールアドレスと参加ステータスと公開リンクｌ２４７メモ欄ｒ２４５と削除リンクｌ２４５とが表示される。ホストは、チェックボックスｃｈｋ２４５にチェックを入れて、送信するボタンｂ２４５をクリックすると、チェックを入れたゲストに一括してプライベートメールを送信することができる。
【００７１】
公開リンクｌ２４７は、このゲストからのお祝いメッセージをパーティーページで公開するか否かを設定するものである。公開リンクｌ２４７は、クリックされる毎に公開又は非公開に設定が切り換わる。公開リンクｌ２４７は、プルダウンメニューにより公開と非公開とが切り換えられてもよい。なお、お祝いメッセージの公開／非公開の設定は、図１１のパーティー管理画面ｇ１８０の「お祝いメッセージ一覧」リンクｌ１８４がクリックされると表示されるお祝いメッセージの一覧画面より行うこともできる。ここでは図示しないが、このお祝いメッセージの一覧画面では、各お祝いメッセージの詳細を確認することができ、お祝いメッセージ毎に公開又は非公開の設定ができる。
【００７２】
設定メモ欄ｒ２４５には、新郎又は新婦のどちらから招待されたゲストであるのかを表示してもよい。また、参加ステータスが“申請有”となっているゲストの表示欄には、承認リンクｌ２４６が表示される。承認リンクｌ２４６がクリックされると、ゲスト招待部４４３により、そのゲストの参加ステータスが“申請有”から“招待済”に変更され、そのゲストにパーティーの招待状が送信される。削除リンクｌ２４５がクリックされると、ゲスト招待部４４３により、ゲストを削除することの確認メッセージが表示され、パーティーからゲストが削除される（ゲストテーブル４６４において、当該パーティーのパーティーＩＤに関連付けられた利用者ＩＤのうち、クリックされた削除リンクｌ２４５に対応するゲストの利用者ＩＤがゲスト招待部４４３により削除される）。
【００７３】
招待状を受け取ったゲストは、招待状に張られたリンクより、図３に示すログイン画面ｇ１００にアクセスしてログインし、図４に示すマイページ画面ｇ１１０の招待されているパーティー欄ｒ１１２よりパーティーの詳細を確認することができる。
【００７４】
マイページ画面ｇ１１０では、招待されているパーティー欄ｒ１１２又は参加しているパーティー欄ｒ１１３の「○○さんと××さんのパーティー」リンクがクリックされると、そのパーティーのトップ画面が表示されるので、パーティーの詳細を確認することができる。なお、パーティーのトップ画面を閲覧することができるのは、ホストとホストによって招待されたゲストのみである。つまり、ホストによって招待されたゲストは、ゲスト招待部４４３により、ホストのパーティーページの閲覧可能者としてゲストテーブル４６４に設定されているとも言える。
【００７５】
図１９は、パーティーのトップ画面の一例である。パーティートップ画面ｇ２５０の「参加する」ボタンｂ２５０と「参加しない」ボタンｂ２５１とは、ゲストの参加ステータスが“招待済”である場合、すなわち、パーティートップ画面ｇ２５０を表示させたゲストがパーティーに参加するか参加しないかを回答していない場合に表示される。「参加する」ボタンｂ２５０がクリックされると、図２０に示すパーティー参加入力画面が表示される。「参加しない」ボタンｂ２５１がクリックされると、ゲスト招待部４４３により、ゲストテーブル４６４における当該ゲストの参加ステータスが“招待済”から“不参加”に変更される。
【００７６】
図２０は、パーティー参加入力画面の一例である。パーティー参加入力画面ｇ２６０には、ゲスト情報（姓名、メールアドレス、性別）が表示されるとともに、ゲストと２人との関係を選択する選択項目と、お祝いメッセージ入力欄と、動画等のデータをアップロードするファイル選択欄とがある。「確認する」ボタンｂ２６０がクリックされると、パーティー参加入力確認画面が表示される。図２１は、パーティー参加入力確認画面の一例である。パーティー参加入力確認画面ｇ２６５では、パーティー参加入力画面ｇ２６０で入力された内容に加えて、ゲストのＳＮＳ情報から取得されたプロフィールが表示される。プロフィールは、公開又は非公開に設定が可能である。この場合、例えば、ゲストによって設定される２人との関係に応じて、ホストの親族に公開するや、ホストの親族及び同僚に公開するや、ホストの親族、同僚及び友人に公開する等によりゲスト間における公開範囲が設定されてもよい。また、プロフィールは、公開する場合の公開範囲の設定が可能であってもよい。「戻る」ボタンｂ２６５ｂがクリックされると、パーティー参加入力画面ｇ２６０に戻って修正を行うことができる。「登録する」ボタンｂ２６５ａがクリックされると、ゲスト招待部４４３により、このゲストの参加ステータスが“招待済”から“参加”に変更されるとともに、入力された参加情報がゲストテーブル４６４に追記される。また、パーティーに参加した旨の完了メッセージが表示されるとともに、メッセージ処理部４４７を介して、このゲストがパーティーに参加した旨がメールでホスト宛に送信される。
【００７７】
図１９に戻り、パーティートップ画面ｇ２５０の画面上部には、「パーティートップ」ボタンｂ２５２と「２人のエピソード」ボタンｂ２５３と「バーチャル披露宴」ボタンｂ２５４と「お祝いメッセージ一覧」ボタンｂ２５５と「ＷｉｓｈＬｉｓｔ」ボタンｂ２５６とが配置されている。これらのボタンは、それぞれ図１１に示すパーティー管理画面ｇ１８０の「パーティートップ」ボタンｂ１８０、「２人のエピソード」ボタンｂ１８１、「バーチャル披露宴」ボタンｂ１８２、「お祝いメッセージ一覧」ボタンｂ１８３、「ＷｉｓｈＬｉｓｔ」ボタンｂ１８４と同様の機能を有する。また、パーティートップ画面ｇ２５０の画面上部には、パーティーのタイトルとゲストへの簡単なメッセージとが表示される。パーティートップ画面ｇ２５０の画面左側には、メインビジュアル欄ｒ２５０とプロフィール欄ｒ２５１とバーチャル披露宴欄ｒ２５２と新着メッセージ欄ｒ２５３とが表示される。画面右側には、Ｔｗｉｔｔｅｒ新着メッセージ欄ｒ２５４とＷｉｓｈＬｉｓｔ欄ｒ２５５とが表示される。
【００７８】
「パーティートップ」ボタンｂ２５２がクリックされると、パーティートップ画面ｇ２５０が表示される。
「２人のエピソード」ボタンｂ２５３又は「２人のエピソード」リンクｌ２５０がクリックされると、２人のエピソード画面ｇ２７０が表示される。
「バーチャル披露宴」ボタンｂ２５４又は「バーチャル披露宴」リンクｌ２５１がクリックされると、バーチャル披露宴画面ｇ２８０が表示される。
「お祝いメッセージ一覧」ボタンｂ２５５又は「お祝いメッセージ一覧」リンクｌ２５２がクリックされると、お祝いメッセージ一覧画面ｇ２９０が表示される。
「ＷｉｓｈＬｉｓｔ」ボタンｂ２５６又は「ＷｉｓｈＬｉｓｔ」リンクｌ２５３がクリックされると、ＷｉｓｈＬｉｓｔ一覧画面ｇ３３０が表示される。
【００７９】
図２２は、２人のエピソード画面の一例である。２人のエピソード画面ｇ２７０には、ホストが登録したエピソードが表示される。
【００８０】
図２３は、バーチャル披露宴画面の一例である。バーチャル披露宴画面ｇ２８０では、予め決められた時刻になると、人前式等のバーチャル挙式が行われたり、参加者が参加可能なゲームが行われたりする。バーチャル披露宴画面ｇ２８０では、ホストによって選択されたパーティー会場の背景画像に基づいてバーチャル披露宴会場が表示され、ホストとゲストとが所定の席次に配置される。このとき、ゲストの席次は、パーティー処理部４４６により、互いに類似するＳＮＳ情報を有するゲスト同士が近くに配置されてもよい。
【００８１】
参加者の写真がマウスオーバーされると、ＳＮＳ連携部４２によりマウスオーバーされた参加者のＳＮＳ情報が取得され、マウスオーバーしている参加者とマウスオーバーされた参加者との関係を示唆する表示がされてもよい。例えば、マウスオーバーしている参加者とマウスオーバーされた参加者とのＳＮＳ情報における年齢と中学校名とが同じである場合、「もしかして中学校の同級生ではありませんか？」と表示されてもよい。これによれば、バーチャル披露宴が旧友との再会の場となりやすくなる。また、参加者によって発信されたこのパーティーのハッシュタグが付けられたＴｗｉｔｔｅｒのメッセージが、リアルタイムでメッセージを発信した参加者の写真から吹き出しコメントとして表示されてもよい。これによれば、バーチャル披露宴画面ｇ２８０上でリアルタイムに参加者同士の会話が表示される。ゲストの写真が、マウスオーバーされると、そのゲストからのお祝いメッセージが表示されてもよい。また、各お祝いメッセージは、オートプレイで動的に表示されてもよい。すなわち、お祝いメッセージは、バーチャル披露宴画面ｇ２８０上でランダムな位置にランダムな時間表示されてもよい。表示されるお祝いメッセージ又はゲストの写真がクリックされると、お祝いメッセージ詳細画面が表示される。
【００８２】
お祝いメッセージは、図１９の「お祝いメッセージ一覧」ボタンｂ２５５又は「お祝いメッセージ一覧」リンクｌ２５２がクリックされることによっても表示される。図２４は、「お祝いメッセージ一覧」ボタンｂ２５５又は「お祝いメッセージ一覧」リンクｌ２５２がクリックされたときに表示されるお祝いメッセージ一覧画面の一例である。お祝いメッセージ一覧画面ｇ２９０には、各ゲストがこのパーティーに参加する旨の回答をした際に入力したお祝いメッセージが一覧表示される。各お祝いメッセージの「詳細を見る」リンクｌ２９０がクリックされると、お祝いメッセージ詳細画面が表示される。
【００８３】
図２５は、お祝いメッセージ詳細画面の例である。お祝いメッセージ詳細画面ｇ３００では、画面左側に、お祝いメッセージの送信者であるゲストのプロフィールが表示され、画面右側に、このゲストがホストに対して送ったお祝いメッセージが新着順に上から下に配置されて表示される。最も新着のお祝いメッセージは、お祝いメッセージ詳細画面で表示される他のお祝いメッセージよりも大きな表示枠で表示される。この際、お祝いメッセージとともに動画等のデータがアップロードされている場合には再生表示される。また、各お祝いメッセージ欄には、「プライベートメールを送る」リンクｌ３００が張られている。「プライベートメールを送る」リンクｌ３００がクリックされると、このお祝いメッセージの送信者宛にプライベートメールを送信することができる。
【００８４】
また、お祝いメッセージ詳細画面ｇ３００の画面左側に表示されるプロフィール欄には、「参加パーティーはこちら」リンクｌ３０１が張られており、クリックされると、このゲストが参加している参加パーティー一覧画面が表示される。図２６は、参加パーティー一覧画面の一例である。参加パーティー一覧画面ｇ３１０には、このゲストが参加しているパーティーが一覧表示される。各パーティーには、ホストのフルネームとパーティーの登録日と「招待申請する」リンクｌ３１０とが表示されている。「招待申請する」リンクｌ３１０がクリックされると、招待申請確認画面を介して、招待申請がある旨のメールがそのパーティーのホストに送信され、招待申請した旨の完了メッセージが表示される。また、招待申請部４４４により、招待申請を行ったパーティーのパーティーＩＤと招待申請を行った利用者の利用者ＩＤと参加ステータス（“申請有”）とが関連付けられてゲストテーブル４６４に記憶される。なお、利用者は、パーティーへの参加申請をパーティー検索画面から行うこともできる。
【００８５】
図２７は、パーティー検索画面の一例である。利用者は、パーティー検索画面ｇ３２０において、ホスト（又はゲスト）の姓名又はメールアドレスを入力して「検索する」ボタンｂ３２０をクリックすることで、パーティー検索部を介して、所望のパーティーを検索することができる。パーティー検索部は、入力された姓名又はメールアドレスと合致するホスト（又はゲスト）のパーティー情報がパーティー情報テーブル４６３に登録されている場合、そのパーティーを一覧表示させる。各パーティー欄には、「招待してね！」ボタンｂ３２１が配置されている。「招待してね！」ボタンｂ３２１がクリックされると、招待申請確認画面を介して、招待申請部４４４により、ホストに招待申請を行うことができる。なお、パーティー検索部は、パーティーを検索する際の姓名又はメールアドレスについて、「連絡先を取り込み」リンクｌ３２０より外部サイトから連絡先を一括して取り込んだり、「ＳＮＳを取り込み」リンクｌ３２１よりＳＮＳ情報から取得して取り込んだりすることができる。この場合、パーティー検索部は、取りこんだ姓名又はメールアドレスのうち、会員情報テーブル４６０に記憶されている姓名又はメールアドレスの利用者がホスト（又はゲスト）となっているパーティー情報を一覧表示させる。
【００８６】
図１９に戻り、ゲストは、パーティートップ画面の「ＷｉｓｈＬｉｓｔ」ボタンｂ２５６又は「ＷｉｓｈＬｉｓｔ」リンクｌ２５３をクリックすることで、ホストにＷｉｓｈＬｉｓｔによるプレゼントを行うことができる。「ＷｉｓｈＬｉｓｔ」ボタンｂ２５６又は「ＷｉｓｈＬｉｓｔ」リンクｌ２５３がクリックされると、ＷｉｓｈＬｉｓｔ一覧画面が表示される。図２８は、ＷｉｓｈＬｉｓｔ一覧画面の一例である。ＷｉｓｈＬｉｓｔ一覧画面ｇ３３０では、ホストが登録したＷｉｓｈＬｉｓｔが表示される。ＷｉｓｈＬｉｓｔの各商品のうち、ゲストによって購入されていない商品には、「プレゼントする」リンクｌ３３０が表示されている。「プレゼントする」リンクｌ３３０がクリックされると、プレゼント購入画面が表示される。
【００８７】
図２９は、プレゼント購入画面の一例である。プレゼント購入画面ｇ３４０では、プレゼントする際にホストへのプレゼントコメントを入力することができる。「確認する」ボタンｂ３４０がクリックされると、プレゼント確認画面を介して、決済処理部４４５によりプレゼント購入の決済処理が行われるとともに、プレゼント購入の完了メッセージが表示される。ＷｉｓｈＬｉｓｔ一覧画面ｇ３３０において、プレゼント済みの商品には、ゲストによって入力されたプレゼントコメントが表示される。
【００８８】
次に、上記のオヒロメサーバ４のお披露目処理の流れについて図３０のフローチャートを参照して説明する。なお、既に会員情報処理部４４０は、利用者のログイン認証を済ませているものとする。
【００８９】
まず、ステップＳ１０で、パーティー登録部４４２は、ホストによって入力される、ホストのパートナー情報や、挙式情報や、写真や動画データ、パーティーページの背景画像、ＢＧＭ（バックグラウンドミュージック）、ゲストへメッセージ、なれ初めプロフィール、２人のエピソード等のお披露目情報の入力を受け付けてパーティーを登録する。
ステップＳ２０で、ＷｉｓｈＬｉｓｔ登録部は、ホストによって作成されたＷｉｓｈＬｉｓｔをパーティーに関連付けて登録する。
ステップＳ３０で、ゲスト招待部４４３は、ホストの関係者情報を取得して、ホストによって選択されたゲストにパーティーの招待状をメールで送信して、ゲストをパーティーに招待する。
ステップＳ４０で、ＳＮＳ連携部４２は、ホストがお披露目情報をお披露目するためにパーティーを登録したことをＳＮＳサイトにおけるホストのフィード情報として通知する。
ステップＳ５０で、パーティー処理部４４６は、パーティーの招待状を受け取ったゲストがオヒロメサイトにログインすると、ホストのお披露目情報を掲載したパーティーページをゲストに閲覧可能に表示させる。
【００９０】
このように、オヒロメサーバ４は、利用者のＳＮＳを利用して、ホストのお披露目情報をホストの関係者に広く容易に知らせ、パーティーの参加者で形成されるコミュニティによりパーティーを楽しんで盛り上げることができる。また、オヒロメサイトは、例えば結婚報告のように、ホストの現実のお披露目情報をお披露目するために用いられることを前提としているため、例えば、実名登録を利用条件とするＳＮＳサイトと連携するとよい。この場合、オヒロメサイトは、ＳＮＳサイトの会員でないホストの関係者について、実名登録を利用条件とするＳＮＳサイトの会員となるきっかけを作ることになり、ＳＮＳサイトにおける実名登録に対する抵抗感を軽減することができ、実名登録を利用条件とするＳＮＳサイトとの間でｗｉｎ−ｗｉｎの関係を築くことができる。また、ホストは、お披露目の様子をオヒロメサイトでいつでも確認することができるので、オヒロメサイトをアルバムのようにして一生使い続けることができる。また、オヒロメサイトは、ホストによって登録されたパーティーにおいて、結婚報告後のホストの出来事（例えば出産報告等）を引き続き知らせることができるようにしてもよい。
【００９１】
また、本実施形態において、パーティー検索部は、ＳＮＳ情報が類似する複数のホストのパーティーを検索したり、パーティー情報の構成が似ているパーティーを検索したり、パーティーを検索する利用者のＳＮＳ情報と類似するＳＮＳ情報を有する参加者のパーティーを検索したりして、検索したパーティーを一覧表示させてもよい。これによれば、他のパーティーを参考にしてパーティーを登録したり、自分と類似するＳＮＳ情報を有する参加者が参加しているパーティーを探し出したりすることができる。
【００９２】
また、ゲスト招待部４４３は、新郎が招待するゲスト人数と新婦が招待するゲスト人数とが同等になるように調整するゲスト調整部を有してもよい。ゲスト調整部は、ホストのゲスト候補を一覧表示する際に、ゲストテーブル４６４を参照して、パートナーのゲスト人数を表示してもよい。また、ゲスト調整部は、ホストがゲストを選択する際に、パートナーのゲスト人数に調整させるために、「あと○人足りません」等のメッセージを表示させてもよい。これによれば、ホストがゲストを選択する際に、パートナーのゲスト人数と合わせやすい。また、ゲスト調整部は、ホストのゲスト候補人数が、パートナーのゲスト人数に満たない場合、ホストのＳＮＳ情報における友達のさらに友達情報を取得してゲスト候補として表示してもよい。
【００９３】
また、オヒロメサーバ４は、ＷｉｓｈＬｉｓｔの商品を複数のゲストで共同して購入できる割り勘手段を備えてもよい。割り勘手段は、例えば、ＷｉｓｈＬｉｓｔ一覧画面ｇ３３０で共同購入ボタンを表示させてもよい。割り勘手段は、共同購入ボタンがクリックされると、ゲストテーブル４６４を参照して、このパーティーに参加しているゲスト情報を一覧表示させる。割り勘手段は、プレゼントを購入しようとするゲストのＳＮＳ情報を取得して、一覧表示させたゲスト情報の中で、このゲストと類似するＳＮＳ情報を有するゲスト（例えば、互いにＳＮＳ情報で友達と承認されているゲスト）をハイライト表示する等してもよい。割り勘手段は、一覧表示させたゲスト情報の中から選択されたゲストに対して、メッセージ処理部４４７を介して共同購入依頼のメールを送信する。割り勘手段は、共同購入依頼のメールを受信したゲストから共同購入に賛同する旨の回答を得ると、購入対象の商品価格を共同購入者の人数で割った代金を各共同購入者に決済処理部４４５を介して支払わせる。これにより、共同で購入する各ゲストは、ホストへのプレゼントをいわゆる割り勘（割り前勘定）で購入することができるので、プレゼントを購入する負担を軽減することができるとともに、ホストに友達一同としてプレゼントを贈ることができる。
また、割り勘手段は、共同購入ボタンがクリックされると、賛同するボタンがＷｉｓｈＬｉｓｔの当該商品情報欄に表示されるようにしてもよい。割り勘手段は、共同購入ボタンがクリックされてから所定期間賛同するボタンを表示させる。割り勘手段は、所定期間中に賛同するボタンをクリックしたゲストを商品の共同購入者として、商品を共同で購入させてもよい。この場合、割り勘手段は、所定期間経過後に決済処理部４４５を介して商品価格を共同購入者の人数で割った代金を各共同購入者に支払わせてもよい。
【００９４】
また、割り勘手段は、ゲストテーブル４６４から参加情報を取得して、ゲストのホストとの関係によって重み付けされた割合で購入代金の支払い負担率を変えてもよい。例えば、ホストとの関係が親族であるゲストの支払い負担率を最も大きくし、ホストとの関係が同僚であるゲストの支払い負担率をホストとの関係が親族であるゲストの支払い負担率より小さくし、ホストとの関係が友人であるゲストの支払い負担率を最も小さくしてもよい。また、支払い負担率は、ゲストの年齢によって異なってもよい。また、割り勘手段は、支払い負担率を参加者によって設定された値としてもよい。
【００９５】
また、オヒロメサーバ４は、ＳＮＳ情報に基づいて、パーティーの参加者の人物相関図を生成する相関図生成手段を備えてもよい。例えば、相関図生成手段は、ゲストによって設定されるホストとの関係（親族、同僚、友人）で各ゲストをグループ化して、ホストとの関係を表す人物相関図を生成してパーティーページで表示してもよい。また、相関図生成手段は、ＳＮＳ連携部４２を介して参加者のＳＮＳ情報を取得し、各ゲストの経歴情報や友達情報、ホストとの関係を表した人物相関図を生成してもよい。例えば、相関図生成手段は、ホストとの関係でグループ化された各ゲストについて、ＳＮＳ情報の友達情報により、友達と承認しているゲスト間を線で結んで誰が誰の友達なのかを表す人物相関図を生成してもよい。また、相関図生成手段は、ホストとの関係でグループ化された各ゲストについて、ＳＮＳ情報の経歴情報により、同じ経歴を有するゲスト間を線で結んだりグループ化したりした人物相関図を生成してもよい。また、ゲスト間のコミュニケーション回数（例えば、メッセージの送受信回数等）によって相関関係を表す線の太さや色を変えてもよい。
【００９６】
また、オヒロメサーバ４は、所定条件を満たしたホストに、現実の披露宴会場や挙式会場のクーポンがプレゼントされるようにしてもよい。例えば、所定数のゲストからお祝いメッセージを送られたホストにクーポンがプレゼントされてもよい。また、ＷｉｓｈＬｉｓｔの商品として、バーチャル披露宴におけるコンテンツ（例えば、新婦のアバターのお色直し衣装や、バーチャル披露宴の装飾品等）が設定可能であってもよい。
【００９７】
本発明は上述した実施の形態に限定されるものではなく、本発明の趣旨を逸脱しない範囲で種々様々に変更が可能であることは言うまでもない。なお、上記実施形態において、同様の機能を示す構成には、同一の符号を付してある。また、図中で下線が引かれた文字はリンクが張られていることを示している。
【符号の説明】
【００９８】
１：利用者端末、１ａ：パーソナルコンピュータ、１ｂ：携帯端末
２：インターネット
３：ＳＮＳサーバ、３１：ＳＮＳ情報ＤＢ
４：オヒロメサーバ（Ｗｅｂサーバ）
４０：通信処理部
４２：ＳＮＳ連携部
４４：処理制御部
４６：パーティー記憶部
４８：メールＤＢ
４４０：会員情報処理部
４４１：ＷｉｓｈＬｉｓｔ処理部
４４２：パーティー登録部
４４３：ゲスト招待部
４４４：招待申請部
４４５：決済処理部
４４６：パーティー処理部
４４７：メッセージ処理部
４６０：会員情報テーブル
４６１：ＷｉｓｈＬｉｓｔテーブル
４６２：商品情報テーブル
４６３：パーティー情報テーブル
４６４：ゲストテーブル
Ｘ：オヒロメシステム
【図１】
2013003771.tif 000003
【図２】
2013003771.tif 000004
【図３】
2013003771.tif 000005
【図４】
2013003771.tif 000006
【図５】
2013003771.tif 000007
【図６】
2013003771.tif 000008
【図７】
2013003771.tif 000009
【図８】
2013003771.tif 000010
【図９】
2013003771.tif 000011
【図１０】
2013003771.tif 000012
【図１１】
2013003771.tif 000013
【図１２】
2013003771.tif 000014
【図１３】
2013003771.tif 000015
【図１４】
2013003771.tif 000016
【図１５】
2013003771.tif 000017
【図１６】
2013003771.tif 000018
【図１７】
2013003771.tif 000019
【図１８】
2013003771.tif 000020
【図１９】
2013003771.tif 000021
【図２０】
2013003771.tif 000022
【図２１】
2013003771.tif 000023
【図２２】
2013003771.tif 000024
【図２３】
2013003771.tif 000025
【図２４】
2013003771.tif 000026
【図２５】
2013003771.tif 000027
【図２６】
2013003771.tif 000028
【図２７】
2013003771.tif 000029
【図２８】
2013003771.tif 000030
【図２９】
2013003771.tif 000031
【図３０】
2013003771.tif 000032